Podtech/llm-jp-corpus-v4-ja_patent huggingface dataset:
(57)【要約】【課題】殆どメンテナンスを必要とせず、エネルギ効率に優れた加熱溶融静電紡糸による微細繊維集合体の連続生産可能な方法を提供すること【解決手段】本発明の微細繊維集合体の生産方法は、熱可塑性樹脂からポリマージェットが発生するまで液状を維持する温度に加熱し続けることで静電紡糸を可能とし、微細繊維を捕集するターゲットコレクタ側に高電圧を印加することで溶融装置に特別な高電圧対策をすることなく連続的に樹脂原料を供給し連続生産することができる。【選択図】図１
2017075407.tif 000002
【特許請求の範囲】
【請求項１】
加熱溶融ポリマーから紡糸ジェットが発生するまで紡糸ヒータにより熱を与え続けることを特徴とする生産方法。
【請求項２】
微細繊維を捕集するターゲットコレクタ側に高電圧を印加することを特徴とする生産方法。
【発明の詳細な説明】
【技術分野】
【０００１】
この発明は、殆どメンテナンスを必要とせず、微細繊維集合体を加熱溶融静電紡糸法により容易に生産する方法に関するものである。
【背景技術】
【０００２】
従来から、静電紡糸法（エレクトロスピニング法）による、不織布などの繊維集合体の製造方法として、原料ポリマーを溶媒によって溶解させ原料液として用いる溶液型静電紡糸法が提案されている。
しかし、紡糸ノズルを用いる方法などではポリマージェットが発生する部分で溶媒の蒸発により粘度が高くなり紡糸効率が悪化したり、紡糸不能となることがある。
また、この溶媒型では紡糸雰囲気中に蒸発した溶媒の濃度調整や回収が必要で、紡糸装置よりも溶媒回収装置の方が重要となってくる。
【０００３】
一方、溶媒を使用しない溶融型静電紡糸では、熱可塑性樹脂を溶融エレクトロスピニングする製造方法があって導電性筒状の先端をターゲットに向け、ターゲット付近で赤外線点集光装置やレーザー集光装置で加熱溶融すると共に導電性筒状ノズルに高電圧を印加することを特徴とする方法などが開示されているが、生産効率を上げる為により高出力の集光装置を必要とする。
【先行技術文献】
【特許文献】
【０００４】
【特許文献１】特許第４６１９９９１号  特許第４４４６７４８号  特開２００７−２３９１１４  特許第４２３８１１９号  特許第４２３８１２０号
【発明の概要】
【発明が解決しようとする課題】
【０００５】
そこで、本発明は溶融静電紡糸により微細繊維集合体を生産するにあたり、メンテナンスが容易でエネルギー効率の高い生産方法を提供することを課題とする。
【課題を解決するための手段】
【０００６】
前述の課題を解決する為、本発明は次に挙げる技術的な手段を講じている。
【０００７】
本発明の微細繊維集合体の生産方法は静電紡糸によりポリマージェットが発生する直前までポリマーがヒーターに接触し加熱され続けることと、コレクタ側に高電圧を印加することで溶融装置側になんら特別な高電圧対策を必要としないことである。
【発明の効果】
【０００８】
本発明の微細繊維集合体の生産方法は、上述のような構成をしており高分子ポリマーのみでなく低分子ポリマーにおいてもポリマージェットが発生する直前まで液状化していて鎖状分子が物理的かつ化学的分子間力が減少し、静電気電場で繊維状に分散しようとする性質を利用するこで微細繊維の生産をすることと、コレクタ側に高電圧を印加することで、特に溶融装置側に高電圧対策を必要としないことである。
【０００９】
ポリマージェットがコレクタに到達する前に複合するシートなど基材を通過させることでハンドリングが良く、かつ製品の生産効率を向上させることが可能となる。
【図面の簡単な説明】
【００１０】
【図１】本発明の生産方法実施例の説明図
【発明を実施するための形態】
【００１１】
本発明は従来より提案されている溶融型の静電紡糸法とは異なり、生産効率とメンテナンスの容易さでは今までにない優れた加熱溶融静電紡糸による微細繊維集合体を提供するものである。
本発明を用いれば液状の溶融ポリマーを硬化させることなく連続的に紡糸でき長時間の生産が可能となる。よって生産効率の高い方法を提供することが可能である。
【実施例】
【００１２】
本発明の詳細を、実施例に基づき説明する。但し、本発明はこれらの実施例に限定されるものではない。
【００１３】
市販のエチレン酢酸ビニルペレットを原料樹脂として、加熱した溶融装置のホッパに投入し、毎分１ｇの速度で溶融しながら紡糸ヒータに送出し粘土が上がらない程度に熱を与えながら、コレクタ側に５０ｋＶを印加の高電圧を印加し静電紡糸をおこないサブミクロンの微細繊維集合体を生産することができる。
ただし、印加する電圧や加熱する温度は紡糸を阻害しない粘土に維持可能で紡糸できれば特に限定されるものではない。
【産業上の利用可能性】
【００１４】
本発明の加熱溶融静電紡糸法は、エネルギ効率に優れメンテナンスが容易であるため、微細繊維集合体の工業的生産に好適に用いられる。
【符号の説明】
【００１５】
１：紡糸ヒータ
２：グランドアース
３：ターゲットコレクタ
４：高電圧発生装置
５：加熱溶融装置
６：溶融ポリマ
７：ホッパ
８：ポリマージェット
【図１】
2017075407.tif 000003
(57)【要約】【課題】傷つき易い石膏ボード、合板類、又は板材のクレーン吊り上げ用の玉掛け道具である。【解決手段】傷つき易い材料保護を、吊り上げ布ベルト又は、ワイヤー４で材料を保護する突起部を玉掛け道具２に設けることで石膏ボード又は、合板類１を傷つけず吊り上げ作業を可能にする。また、破損しやすい水平で吊り上げ困難な石膏ボード類１を立てた状態で玉掛け道具２でクレーンでの吊り上げを可能とする。二つの玉掛け道具２を玉掛け維持ボルト３で堅結することで荷バランス悪化を防止する。【選択図】図１
2017075048.tif 000002
【特許請求の範囲】
【請求項１】
本発明の玉掛け道具は、石膏ボード、合板類等の板材を立て掛けた状態で吊り上げることが出来る。吊り上げ時、石膏ボード、合板類等の吊り上げ荷を傷つけることを玉掛け道具の突起部分で防止できる。玉掛け道具の幅は、吊り上げクレーンの能力に合わせたサイズを使用する。
【請求項２】
本発明の玉掛け道具は、石膏ボード、合板類等の板材を立て掛けた状態で吊り上げた場合の玉掛け位置が移動しないよう玉掛け維持ボルトで固定する。玉掛け維持ボルトは、持ち運び時、取り外しすることが出来る。
【発明の詳細な説明】
【技術分野】
【０００１】本発明は、石膏ボード及び合板類をクレーンでの吊り上げ作業専用の玉掛け道具に関するものである。
【背景技術】
【０００２】クレーンで石膏ボードを水平に吊り上げて作業をする場合、材料を横にするため吊り上げ空間が大きくないと作業ができない場合がある。
また、吊り上げ時、横風の影響を受けると荷崩れ時、石膏ボード落下事故が発生する場合がある。合板類も同様である。【０００３】石膏ボードを立てた状態で、吊り上げ作業を可能とすることで吊り上げ空間が小さくても作業が可能となる。また、石膏ボードを立てた状態で玉掛けすることで横風を受けた場合、石膏ボードの横滑りを防止し安全な作業が可能となる。合板類も同様である。
【発明の概要】
【発明が解決しようとする課題】
【０００４】石膏ボードを立てた状態で玉掛けしても、クレーン吊り上げ時に吊り上げ布ベルト又は、吊り上げワイヤーで石膏ボードへ食い込み傷をつけないことが必須である。また、吊り上げ布ベルトやワイヤーの玉掛けが容易に出来るように、吊り上げ布ベルト及びワイヤーを通す空間を設ける。また、吊り上げ時、吊り上げベルト及び、ワイヤー位置が吊荷重心に移動しようとする重量移動を無くすことで不安定落下事故を防止する。合板類も同様である。
【課題を解決するための手段】
【０００５】この発明玉掛け道具２つを１セットとし、それぞれに吊り上げ布ベルト及びワイヤーでの石膏ボード傷防止、保護鉄部を設ける。合板類も同様である。
上記の傷防止保護鉄部と、吊り上げ布ベルト及びワイヤー通し空間部分を本玉掛け道具では、それぞれ一体化させる。【０００６】本玉掛け道具のそれぞれは、長尺ボルトで一体化させることで、荷吊り時、吊り上げベルト及びワイヤーの玉掛け道具位置を一定に保つことが出来る。長尺ボルトは、取り外し可能で吊り上げ材料の長さに合わせて調整することが出来る。また、吊外し可能の為、分解して持ち運び移動を容易に出来る。
【発明の効果】
【０００７】石膏ボードは、傷つき易い材料で、荷移動空間が狭いため、人力での荷揚げが多く行われている。それを本発明の玉掛け道具を使用することでクレーンでの荷移動を安全に作業することができる。合板類も同様である。
【図面の簡単な説明】
【０００８】
【図１】本発明の玉掛け道具で材料吊り時の斜視図である。
【図２】本発明の玉掛け道具で材料吊り時の側面図である。
【図３】本発明の玉掛け道具の側面図である。
【図４】本発明の玉掛け道具の平面図である。
【発明を実施するための形態】
【０００９】以下、本発明を実施するための形態に関わる玉掛け道具を、図面を参照して説明する。図１は、発明の実施形態に関わる玉掛け道具使用時の斜視図である。図２は、玉掛け道具使用時の側面図である。図３は、玉掛け道具使用時の拡大側面図である。図４は、玉掛け道具の上から見た平面図である。
【００１０】玉掛け道具２の二つをボルト取り付け部２ａに玉掛け距離維持ボルト３をボルトナット３ａで堅結する。玉掛け維持ボルト３は、石膏ボード又は、合板類１を吊り上げ時、玉掛け道具２の重力移動１ａを防ぎ、吊荷バランス悪化による落下事故を防止する。
【００１１】吊り上げる石膏ボード又は、合板類１を玉掛け道具２の上に立てて乗せる。石膏ボード又は合板類１は、玉掛け道具２の幅寸法６まで積載できる。６の寸法は、使用するクレーンの吊り上げ能力に応じて異なる寸法で使用する。積載最高の巾サイズは、玉掛け道具２の１ｂまで積むことが出来る。
【００１２】玉掛け道具２の下部空間に、吊り上げ布ベルト又は、ワイヤー４を通す。下部空間寸法７は、吊り上げ布ベルト又は、ワイヤー４の太さに合わせて異なる寸法の玉掛け道具２を使用する。
【００１３】吊り上げ布ベルト又は、ワイヤー４を吊荷上部でクレーンフック５に掛けて吊り上げて使用する。
【符号の説明】
【００１４】１    石膏ボード又は合板類
１ａ  吊荷重力移動
１ｂ  玉掛け道具の積載荷の最高巾位置
２    玉掛け道具
２ａ  玉掛け距離維持ボルト取り付け部
３    玉掛け距離維持ボルト
３ａ  玉掛け距離維持ボルト堅結ナット
４    吊り上げ布ベルト又はワイヤー
５    クレーンフック
【図１】
2017075048.tif 000003
【図２】
2017075048.tif 000004
【図３】
2017075048.tif 000005
【図４】
2017075048.tif 000006
(57)【要約】      （修正有）【課題】水資源の有効活用。【解決手段】水面より長さ２０ｍ以上揚水管４を差し入れ空気注入口３から空気を揚水管４内に入れて空気を溜め。次に流水開閉弁を急速に開放し空気圧を放出する、排気排水となる弁８から排水が始まったら弁を止め降水管９に導水させ降水管９から出る水勢により回転形水車で発電する。【選択図】図１
2017075593.tif 000002
【特許請求の範囲】
【請求項１】
下部揚水管内に空気を注入して管内の水位を下げ、流水開閉弁を早く開いて、１０ｍの位地まで噴水させた考案、
【請求項２】
降水管の落差を大きくし、サイホン作用を導入して、自動流動慣性を起し、循環水流発電装置とした考案、
【発明の詳細な説明】
【技術分野】
【０００１】  現在の水力発電はダム湖を設けて、放水発電をしているが、湖水量の減水が大きく発電の継続が望めない、
夜間電力の使用が少ない時間に電力を使ってダム湖に逆揚水をしていると聞いた。
【背景技術】
【０００２】  海湖の深水層は深さに比例して水圧が高くなるのを利用して、高い所まで噴水できる。
【発明の開示】
【発明が解決しようとする課題】
【０００３】  １、水面より１ｍ５０ｃｍ程高い位置に  ４、下部揚水管が湖側から差し入れられる構造とした  ２、支持金具を取り付ける。【０００４】  ２、支持金具上面に  ３、流水開閉弁を取り付ける  ３、流水開閉弁は、流水の良い仕切り弁を使用する。【０００５】  ４、下部揚水管の長さは２０ｍ以上とし上下部分は硬質ビニール管として、中間部分は消防署使用の素材布ホースとする。【０００６】  ４、下部揚水管上部は  ３、流水開閉弁接続、下部は  ５、揚水管ストレーナ付けとする。【０００７】  ６、空気注入口は３、流水開閉弁下の硬質ビニール管部分に取り付け、自動車タイヤチューブの逆止弁を使用、【０００８】  ３、流水開閉弁を閉じ  ６、空気注入口から空気を下部揚水管内に入れて空気を溜める  ５、揚水管ストレーナ付近から気泡が出るようになったら空気注入を停める。【０００９】  ４、下部揚水管内の水位は空気によって下方に押し下られ  ３、流水開閉弁の急速な開放で空気圧を放出し、５、ストレーナ付近の高水圧で急激な水位上昇が起きる。【００１０】  ７、上部揚水管の長さは  ３、流水開閉弁から１０ｍとし逆Ｕ字管項所に  ８、排気排水となる弁を設け、排水が始まったら弁を止め  ９、降水管に導水させる。【００１１】  ７、上部揚水管の長さを１０ｍとした考案は  ９、降水管の落差を大きく確保  サイホン作用を起して自動循環を達成させる為、【００１２】  １０、発電水車は  ９、降水管から出る水勢を見て、高速回転形水車径小さく、低速回転形水車径大きく設定対応、先ず水勢判断〔課題を解決する為の手段〕【００１３】  湖、海、水深２０ｍ以上確保できる所  岸壁、船、水槽ドック、等設備構想を、
【発明の効果】
【００１４】  本案は深水域から水を揚水して、上水面に戻すので、水資源の有効活用が出来る。
【発明を実施するための最良の形態】
【００１５】  本案揚水管の内経、大径、小径の設定研究を行い、最高の発電出力を考案  実用化を図る。
【図面の簡単な説明】
【００１６】
【図１】本発明の全体構想図、
【符号の説明】
【００１７】１、水面
２、上下揚水管支持金具
３、流水開閉弁
４、下部揚水管
５、下部揚水管ストレーナ
６、空気注入口
７、上部揚水管
８、排気排水弁
９、降水管
１０、発電水車
【図１】
2017075593.tif 000003
(57)【要約】【課題】安価でランニングコストが安い雨量計のプログラムを提供すること。【解決手段】この雨量計のプログラムはパーソナルコンピュータで動作します。雨量計からの入力を取り込み、数値や棒グラフや折れ線グラフで各雨量表示をします。表示された内容はインターネットを通じてパーソナルコンピューターや携帯電話にリアルタイムで表示できます。また設定値以上の雨量があったときはあらかじめ登録してあるパーソナルコンピューターや携帯電話にメールで警報を送ります。システムの不具合があった場合はこのシステムの管理者として登録しているパーソナルコンピューターや携帯電話にメールでその内容を送ります。【選択図】図１
2017075928.tif 000002
【特許請求の範囲】
【請求項１】
降雨量を検出する降雨量検出手段と、該降雨量検出手段によって検出された降雨量が所定量以上となったことを検出して所定の信号を出力する降雨量判定手段とを備え、前記降雨量判定手段によって出力された所定手段を送信する送信手段と、前記送信手段から送信された信号を受信する手段とを備え、前記受信手段は受信した信号を表示する表示手段を備えたことを特徴とする雨量観測装置。
【発明の詳細な説明】
【技術分野】
【０００１】  本発明は、雨量観測装置に関する。
【背景技術】
【０００２】  雨量計測をするためにはかなりの費用がかかる。【０００３】  市販されている簡易型雨量計としては容器に雨を溜めてその深さを測るものがある。これはいちいち物差しを用いて計らなければいけないので測定者が常に付いている必要があり実用的ではない。【０００４】  雨量を測定する装置は沢山ある。しかし、雨量情報をメールで通報し、その雨量をネットで簡単に見ることができない。
【発明の開示】
【発明が解決しようとする課題】
【０００５】  しかしながら、上記従来の装置は、すべてが専用設計であるため、高価であるという問題点があった。【０００６】  そこで、この発明は、上記に鑑みてされたものであって、安価に製造でき、低ランニング・コストを実現する雨量計を提供することを目的とする。
【課題を解決するための手段】
【０００７】  本発明は上記課題を解決するために、降雨量を検出する降雨量検出手段と、該降雨量検出手段によって検出された降雨量が所定量以上となったことを検出して所定の信号を出力する降雨量判定手段とを備え、前記降雨量判定手段によって出力された所定手段を送信する送信手段と、前記送信手段から送信された信号を受信する手段とを備え、前記受信手段は受信した信号を表示する表示手段を備えたことを特徴とする。
【発明の効果】
【０００８】  この発明によれば、安価に製造でき、低ランニング・コストを実現できる。
【図面の簡単な説明】
【０００９】
【図１】  本発明の雨量観測結果のデータを表示したものである。
【図２】  図１に示したデータ表示を同時に複数表示した図である。
【発明を実施するための形態】
【００１０】  以下、この発明につき図面を参照しつつ詳細に説明する。なお、この実施例によりこの発明が限定されるものではない。また、以下に示す実施例の構成要素には、当業者が置換可能かつ容易なもの、或いは実質的同一のものが含まれる。
【００１１】  また、この発明にかかる雨量測定のプログラムは、１０分間と１時間の雨量の予測を計算し表示していることを、備えたことを特徴とする。
【００１２】  また、この発明にかかる雨量測定のプログラムは、過去４２日まで遡って長期実効雨量を計算し折れ線グラフと数値で表示していることを、備えたことを特徴とする。
【００１３】  また、この発明にかかる雨量測定のプログラムは、毎日または週に一度管理者にメールで通報することを、備えたことを特徴とする。
【００１４】  また、この発明にかかる雨量測定のプログラムは、システム異常時には管理者にメールで通報することを、備えたことを特徴とする。
【００１５】  また、この発明にかかる雨量測定のプログラムは、ハイビジョン画面に同時に１２の画面を表示できることを、備えたことを特徴とする。
【産業上の利用可能性】
【００１６】  以上のように、本発明にかかる測定装置及びその製造方法は、安価に製造できる点、低ランニング・コストを実現できる点で有用である。
【図１】
2017075928.tif 000003
【図２】
2017075928.tif 000004
(57)【要約】      （修正有）【課題】従来は観賞用の鳥のやさしさをもとめて居たが、人と鳥のつながりを大切にした力強い鳥の提供である。【解決手段】鳥に光を当ると反射する物質の粉末を塗布したものである。【選択図】図１
2017075134.tif 000002
【特許請求の範囲】
【請求項１】
鳥に  光を  当ると反射する  物質の  粉末を  塗布  したものである。
を設けたことを特徴とする光る鳥
【発明の詳細な説明】
【技術分野】
【０００１】今回の発明は  太陽と  人間と  鳥との  三者の  合作です。
従来は  観賞用の  鳥の  やさしさを  もとめて居た  今回は  人と  鳥の  つながりを  大切にし  鳥に  光を  当ると  反射する  物質の  粉末を  塗布  したものである。
【背景技術】
【０００２】これは  次のような  欠点があった。
鳥に  力強さが  なかった。
【先行技術文献】
【技術文献】
【０００３】
【技術文献１】
【発明の概要】
【発明が解決しようとする課題】
【０００４】本発明は  以上の  ような欠点を  なくすために次のような方法  光を当てると  反射する物質の粉末を  塗布する  それに光を当ると  反射して  きれいな  力強い  鳥が出来ます。
【課題を解決するための手段】
【０００５】鳥に  光を  当ると  反射する  物質の  粉末を塗布  したものである。
【発明の効果】
【０００６】このような構成です  だから  このような  発明の効果が  生まれました  きれいな力強い鳥  これぞ  観賞用の  鳥として  最高の鳥で  眺めるだけで  １日の疲れはとれ  又心のくもりもとれる  最高の鳥です  認知症の防止に役立つと思います。
【図面の簡単な説明】
【０００７】
【図１】  本発明の正面図である。
【図２】  本発明の右側面図である。
【図３】  右側面図は左側面図と対称である。
【発明を実施するための形態】
【０００８】本発明は
次のような方法  光を当てると  反射する物質の粉末を  塗布する  それに光を当ると  反射して  きれいな  力強い  鳥が出来ます。
【符号の説明】
【０００９】
【図１】
2017075134.tif 000003
【図２】
2017075134.tif 000004
【図３】
2017075134.tif 000005
【手続補正書】
【提出日】平成27年12月1日(2015.12.1)
【手続補正２】
【補正対象書類名】明細書
【補正対象項目名】０００７
【補正方法】変更
【補正の内容】
【０００７】
【図１】  本発明の正面図である。
【図２】  本発明の右側面図である。
(57)【要約】      （修正有）【課題】浄水カートリッジの交換時期を注水の際の蓋の開閉を利用して積算し、適切に報知する。【解決手段】濾過材を納めた着脱自在なカートリッジ９を備えている浄水器の、注水の際の蓋２の開閉を検知して開閉回数として積算し、或は原水（水道水）の貯まる所５の容量を浄水量として積算し、更には浄水カートリッジの使用時間からも交換時期を報知する。蓋の開閉の検知は、開閉の際の振動検知、磁気での検知、光での検知、蓋開閉の圧力を検知、或はスイッチでの検知による。検知方法によっては、計測報知装置３は浄水器にセットにしなくとも、単体での販売でも使用可能である。【選択図】図１
2017023967.tif 000002
【特許請求の範囲】
【請求項１】
濾過材を納めた着脱自在なカートリッジを備えている浄水器への注水の際の蓋の開閉を検知して、開閉回数として積算し、或は該カートリッジへの一定の浄水量として積算し、表示及び／又は交換時期を報知する計測報知装置。
【請求項２】
請求項１の計測報知装置に、更にカートリッジの使用時間から該カートリッジの交換時期を報知する機能を含めた計測報知装置。  
【請求項３】
請求項１の計測報知装置を、濾過材を納めた着脱自在なカートリッジを備えている浄水器に備えた浄水器。
【請求項４】
請求項１及び２の計測報知装置を、濾過材を納めた着脱自在なカートリッジを備えている浄水器に備えた浄水器。
【発明の詳細な説明】
【技術分野】
【０００１】
本発明は、着脱自在な浄水カートリッジを使用する浄水器に置いて、浄水量を正確に積算する発明である。
【背景技術】
【０００２】
従来の第一の方法は、単に一日の使用量を勝手に決め、その時間の経過を浄水カートリッジ寿命として適当に表示するもの、第二は、原水を注ぎ溜めたのを水センサにより検知し、注水回数としてカウントし浄水カートリッジ寿命を計算する、第三は、第二の水センサの代わりに蓋に注水圧による自動開閉の小さな蓋を更に付けて、注水回数をカウントをする。
【先行技術文献】
【非特許文献】
【０００３】
【非特許文献１】ポット型浄水器  ＢＲＩＴＡ（ブリタ）
【非特許文献２】Ｔｅｒｒａｉｌｌｏｎポット型浄水器ディアボロプラス  ＴＷＦ９０１ＧＮ
【非特許文献３】ＢＷＴ  ポット型浄水器  パーフェクトウォーター  スリム  ２．７Ｌ
【発明の概要】
【発明が解決しようとする課題】
【０００４】
しかし、正確に浄水カートリッジの浄水量を確認する前記第二の方法であっても、浄水器の移動や使用の際に、或は飛沫で誤カウント更には、センサやカウンタは水に接する為、その隙間や電池交換部分からの水の侵入による故障があった。
前記第三の方法に置いては、給水口をうっかり手で押してしまったり、或は注ぎ方によっては誤カウントされてしまう可能性があり、更には蓋であるのにそこから水を注ぐ衛生面での問題があった。
又、既に使用されている浄水器に対しても、計測報知装置単体での販売で正確な浄水量の計測を提供する。
【課題を解決するための手段】
【０００５】
これらを解決する新たな手段として、注水の際には蓋を開けて原水を注ぐ通常の動作を、その蓋の開閉を検知してカウントすれば良い。磁気或は、光或は、スイッチ或は、振動により蓋の開閉を検知して、原水を注ぎ貯める部分に一定の水量を注いだとしてカウントして、更には衛生上から、浄水カートリッジ使用時間も計る事で、浄水カートリッジの交換時期或は、必要に応じて注水した回数、或は浄水量の表示もする。
【発明の効果】
【０００６】
正確な浄水量或は、浄水回数の計測を可能として更に、設置は浄水器の蓋に本装置を貼り付ける程度でも可能であり、それは既に使用されている浄水器の種類に関わらず本装置の利用を可能とした。
【図面の簡単な説明】
【０００７】
【図１】浄水器の蓋と本体。その蓋に浄水カートリッジの使用量や交換時期の報知部１２を含めた計測報知装置（３）を取付け、その計測報知装置で振動による蓋の開閉の検知をしない場合には、蓋の周囲或は、計測報知装置の端に蓋開閉検知部１（４）と、本体の周囲に蓋開閉検知部２（８）を取付けた例。
【図２】報知部を含めた計測報知装置（３）の別のパターン。
【図３】浄水器の蓋と本体で、蓋に取手を付け、そこに報知部１２と蓋の開閉の際の圧力検知部１６を設けた。
【発明を実施するための形態】
【０００８】
浄水器の蓋２に浄水カートリッジの交換時期の報知部１２或は、１４を含めた計測報知装置３を設置し、蓋開閉の検知を以下の何れか一の方法で検知する、開閉の際の振動検知、浄水器の本体６との間を磁気で検知、或は光で検知、本体６との噛み合わせの圧力を、或は蓋を外す際の指を掛ける部分の圧力を、圧力センサ或は、スイッチで検知、蓋開閉の際に動作するよう設けたスイッチ、蝶番で蓋を開閉する際に動作するよう設けたスイッチ。
上記の検知の結果を、開閉回数として積算し、或は該カートリッジへの一定の浄水量として積算する。尚、圧力検知部１６は蓋を外す際の取手の圧力を検知する。
又、前記、蝶番で蓋を開閉は図の記載はないが、本体６と蓋２を蝶番で開閉する構造の浄水器である。更に、蓋開閉の検知は計測報知装置（３）に内蔵する場合、或は、蓋開閉検知部１（４）と蓋開閉検知部２（８）を使う方法、或は、前記各種の検知方法に応じた方法がある。
更に、衛生上から、カートリッジの使用期間からの交換時期の報知も併用する。
報知部のリセット方法は、押し釦スイッチ１３を設けて、或は、１３の長押しでも良い或は、報知部１２にスイッチ機能も含めて、押すことでリセットする。
前記の各種検知方法の部品は、防水の為にはパッケージに収めても良い。又、計測報知装置（３）は浄水器にセットにしなくとも、単体での販売でも使用可能である。
【符号の説明】
【０００９】
１・・浄水吐出口（開閉式）
２・・浄水器の蓋
３・・計測報知装置
４・・蓋開閉検知部１
５・・原水（水道水）の貯まる所
６・・浄水器の本体
７・・浄水の貯まる所
８・・蓋開閉検知部２
９・・浄水カートリッジ
１０・・６の取手
１１・・浄水の吐出部
１２・・３の報知部の例（押せばリセットも可能）
１３・・リセットスイッチ
１４・・３の報知部の例（リセットは別）
１５・・蓋の取手
１６・・圧力検知部
【図１】
2017023967.tif 000003
【図２】
2017023967.tif 000004
【図３】
2017023967.tif 000005
(57)【要約】      （修正有）【課題】一般的な傘とは傘と同様の使い勝手で、傘を開いたときに、傘を差す者が傘の中心に入ることができる傘を提供する。【解決手段】開閉可能な傘１は、上下方向に延びるシャフト部１０と、シャフト部の上端近傍に中心が固定され、開いた状態で端縁が広がる傘本体と、傘本体を下方から支持する骨部２０と、シャフト部に摺動可能に取り付けられ、骨部の基端が回動自在に取り付けられた操作部３０と、シャフト部の上側に設けられ、操作部と係合し、傘本体を上側所定位置に係止させる上係止部４０と操作部と係合し傘本体を下側所定位置に係止させる下係止部５０と、を備える。シャフト部は、左右方向にぼう出する湾曲部１１を有、操作部は、筒形状に形成され、その内径が湾曲部においても摺動可能な径で形成されている。【選択図】図２
2017023435.tif 000002
【特許請求の範囲】
【請求項１】
開閉可能な傘であって、上下方向に延びるシャフト部と、シャフト部の上端近傍に中心が固定され、開いた状態で端縁が広がる傘本体と、傘本体を下方から支持する骨部と、シャフト部に摺動可能に取り付けられ、骨部の基端が回動自在に取り付けられた操作部と、シャフト部の上側に設けられ、操作部と係合し、操作部を上側所定位置に係止させる係止部と、を備え、シャフト部は左右方向にぼう出する湾曲部を有し、操作部は筒形状に形成され、その内径が湾曲部においても摺動可能な径で形成され、操作部の上端側には、係止部と係合し、傘本体を開いた状態に保持する係合部が設けられた傘。    
【発明の詳細な説明】
【技術分野】
【０００１】
本発明は、開閉可能な傘に関する。                                
【背景技術】
【０００２】
特許文献1に記載された傘は、傘を開いてから傘のシャフトを折り曲げ傘を、畳む際に、傘のシャフトを真っすぐに伸ばせ、又、シャフトに斜度を持たせたり、移動したりして、傘を差す人が傘の真下に入れるようにしたもので、フレキシブルパイプやパイプの組み合わせを利用している。                                                       
【先行技術文献】
【特許文献】
【０００３】
【特許文献１】特開平8-70918号公報
【発明の概要】
【発明が解決しようとする課題】
【０００４】
特許文献1の傘は、傘を開いた後にシャフトを折り曲げる。これにより、傘をさしたときに、傘をさしている者が、傘の中心に入ることができる、そして傘をたむ時にシャフトを真っすぐに伸ばす。しかしながら、特許文献1の傘は、シャフトを折り曲げたり、真っすぐに伸ばしたりと、一般的な傘とは使い勝手がことなっていた。             
【０００５】
本発明は、一般的な傘とは傘と同様の使い勝手で、傘を開いたときに、傘を差す者が傘の中心に入ることができる傘を提供することを目的とする。          
【課題を解決するための手段】
【０００６】
開閉可能な傘であって、上下方向に延びるシャフト部と、シャフト部の上端近傍に中心が固定され、開いた状態で端縁が広がる傘本体と、傘本体を下方から支持する骨部と、シャフト部に摺動可能に取り付けられ、骨部の基端が回動自在に取り付けられた操作部と、シャフト部の上側に設けられ、操作部と係合し、操作部を上側所定位置に係止させる係止部と、を備え、シャフト部は左右方向にぼう出する湾曲部を有し、操作部は筒形状に形成され、その内径が湾曲部においても摺動可能な径で形成され、操作部の上端側には、係止部と係合し、傘本体を開いた状態に保持する係合部が設けられた傘。
【発明の効果】
【０００７】
本発明によれば、一般的な傘とは傘と同様の使い勝手で、傘を開いたときに、傘を差す者が傘の中心に入ることができる傘を提供。      
【図面の簡単な説明】
【０００８】
【図１】本発明の実施形態に係る傘1の全体を説明する図である。
【図２】本発明の実施形態に係る傘1の全体を説明する図である。
【発明を実施するための形態】
【０００９】
開閉可能な傘1は、上下方向に延びるシャフト部10と、シャフト部10の上端近傍に中心が固定され、開いた状態で端縁が広がる傘本体15と、傘本体15を下方から支持する骨部20と、シャフト部10に摺動可能に取り付けられ、骨部20の基端が回動自在に取り付けられた操作部30と、シャフト部10の上側に設けられ、操作部30と係合し、傘本体15を上側所定位置に係止させる上係止部40と操作部30と係合し傘本体15を下側所定位置に  係止させる下係止部50と、を備える。シャフト部10は、左右方向にぼう出する湾曲部11を有、操作部30は、筒形状に形成され、その内径が湾曲部11においても摺動可能な径で形成されている。操作部30の上端側には、係止部40と係合し、傘本体15を開いた状態に保持する上係合部31が設けられ、操作部30の下端側には下係止部50と係合し傘本体15を閉じた状態に保持する下係合部32が設けられている。   
【符号の説明】
【００１０】
１    傘
１０  シャフト部
１５  傘本体
２０  骨部
３０  油圧傘本体
３１  上係合部
３２  下係合部
４０  上係止部
５０  下係止部
【図１】
2017023435.tif 000003
【図２】
2017023435.tif 000004
(57)【要約】【課題】  従来の食事用箸は、多くの食物を一度に口の中に入たり又、少量であったと量が不適量である為、時間をかけて食物を咀嚼できず健康管理にもてきさなかった。  本発明は、食物の分量を測りながら食事するための道具を提供する。【解決手段】  箸の先端に窪み部を設け、計量用窪み部の方向がわかり易いよう、箸の上面部と下面部の形状及び視覚的に変化をもたせる。変化の方法として上面部は平ら、下面部は丸み状とする。又、視覚的に、上面部のみに模様などを入れたことを特徴とする先端計量窪み付き箸。【選択図】図１
2017023658.tif 000002
【特許請求の範囲】
【請求項１】
箸の先端に計量用窪み部を設け、計量用窪み部の方向がわかり易いよう、箸の上面部と下面部の形状及び視覚的変化をもたせる。変化の方法として上面部は平ら、下面部は丸み状とする。又、視覚的に、上面部のみに模様などを入れた先端計量窪み付き箸。
【発明の詳細な説明】
【技術分野】
【０００１】  本発明は、食事の時に使用する先端計量用窪み付き箸に関するものである。
【背景技術】
【０００２】  従来、食事用箸は、口に食物を運ぶ為に食物を刺したり、挟んだり、そして、口に掻き込んだりする為に使用されていた。
【発明の概要】
【発明が解決しようとする課題】
【０００３】  従来の食事用箸は、多くの食物を一度に口の中に入れたり、又、少量であったりと量が不適量である為、時間をかけて食物を咀嚼できず、健康管理にも適さなかった。
【課題を解決するための手段】
【０００４】  箸の先端に計量用窪み部を設け、計量用窪み部の方向がわかり易いよう箸の上面部と下面部に形状及び視覚的変化をもたせる。変化の方法として上面部は平ら、下面部は丸み状とする。又、視覚的に、上面部のみに模様などを入れる。
以上の構造よりなる先端計量用窪み付き箸。
【発明の効果】
【０００５】  形状及び視覚により１回に口の中に入れる食物の分量を、箸の計量窪み部の窪みを目安に測り、適量を意識的に時間をかけて良く咀嚼し食事を摂ることが可能となる。そして健康管理もできる。
【図面の簡単な説明】
【０００６】
【図１】本発明の斜視図
【図２】本発明の使用状態図
【発明を実施するための形態】
【０００７】  以下、本発明の実施の形態を説明する。
（イ）箸先端部（４）に計量用窪み部（３）を設ける。
（ロ）箸上面部（１）と箸下面部（２）に窪みの方向がわかり易いように形状及び視覚        的変化をもたせる。
本発明は以上のような構造である。
本発明を使用するときは、箸の先端部（４）の窪み面を形状及び視覚によって確認し、その計量用窪み部（３）の中に食物（５）を入れ、量を確認しながら口の中に運んで食事をする。
【符号の説明】
【０００８】１箸上面部、２箸下面部、３計量窪み部、４箸先端部、５、食物
【図１】
2017023658.tif 000003
【図２】
2017023658.tif 000004
(57)【要約】【課題】納豆撹拌しようとすると十分な握力と腕力と手首の力が必要であった。本発明は、効率的かつ容易に納豆を撹拌するための納豆撹拌具を提供する。【解決手段】湾曲したアーム（２）の先端に複数本の撹拌棒（３）を設け、末端部にハンドル（１）を設けたことを特徴とする納豆撹拌具。【選択図】図１
2017023655.tif 000002
【特許請求の範囲】
【請求項１】
湾曲したアーム（２）の先端に複数本の撹拌棒（３）を設け、末端部にハンドル（１）を設けた納豆撹拌具。
【発明の詳細な説明】
【技術分野】
【０００１】  本発明は、納豆をかき混ぜる器具に関するものである。
【背景技術】
【０００２】  従来、納豆を撹拌するためには、箸を利用して撹拌していた。
なお、納豆を撹拌するための器具が知られている。（特許文献１）（特許文献２）
【先行技術文献】
【特許文献】
【０００３】
【特許文献１】特開２０１２−１００９６５号公報
【特許文献２】特開２００３−３０４９６３号公報
【発明の概要】
【発明が解決しようとする課題】
【０００４】  納豆撹拌しようとすると十分な握力と腕力と手首の力が必要であった。
本発明は、以上の問題を解決するためになされたものである。
【課題を解決するための手段】
【０００５】  湾曲したアーム（２）の先端に３本の撹拌棒（３）を設け、末端部にハンドル（１）を設ける。
以上の構成によりなる納豆撹拌具。
【発明の効果】
【０００６】  従来、十分な握力と腕力と手首の力を要する納豆撹拌を本発明により、効率的かつ容易な納豆撹拌ができる。
【図面の簡単な説明】
【０００７】
【図１】本発明の斜視図
【図２】本発明の側面図
【図３】本発明の底面図
【図４】ａ−ａ線断面図
【発明を実施するための形態】
【０００８】  以下、本発明の形態を説明する
（イ）３本の湾曲したアーム（２）を持ち手となるハンドル（１）で束ねて設ける
（ロ）ハンドル（１）は平面形状のハンドル背（１ａ）と丸みを帯びた形状のハンドル腹（１ｂ）とから構成される
（ハ）アーム（２）の先端部に、平行に並ぶ３本の撹拌棒（３）を設ける
（ニ）撹拌棒（３）の直径はアーム（２）より太く、撹拌棒（３）の先端は丸みを帯びた形状からなる。
（ホ）各撹拌棒（３）に等間隔の間隙（４）を設ける
本発明は以上のような構造である。
本発明を使用するときは、手でハンドル（１）を握る。このときハンドル腹（１ｂ）を下方向に向けておく。納豆容器へ、撹拌棒（３）を挿入し撹拌する。
図４には、ハンドル（１）の断面図を示した。ハンドル背（１ａ）は平面であり、ハンドル背（１ａ）を下方向に向けて地面に置いても横転する事は無い。
ハンドル（１）は手に填る形状であり、アーム（２）は湾曲しているため、握力と腕力と手首の力が入りやすい。
アーム（２）とハンドル（１）の接合部はシーリング材が隙間なく充填されているため、納豆や水分が入ることはない。
アーム（２）と撹拌棒（３）は継目がないため、納豆や水分が入ることはない。
撹拌棒（３）の先端部は丸みを帯びた形状のため、納豆撹拌時に納豆および、納豆容器を傷つけることはない。
各撹拌棒（３）の間隙（４）を適宜に設定することで、納豆掬い面として使用することができる。
【符号の説明】
【０００９】１ハンドル、１ａハンドル背、１ｂハンドル腹、２アーム、３撹拌棒、４間隙
【図１】
2017023655.tif 000003
【図２】
2017023655.tif 000004
【図３】
2017023655.tif 000005
【図４】
2017023655.tif 000006
(57)【要約】      （修正有）【課題】トイレットペーパーを引き出す際、片手で容易に引き出す事ができ、トイレットペーパーの切断も片手で容易に行えるトイレットペーパー保持器を提供する。【解決手段】トイレットペーパー保持器の蓋１に紙幅より広めのスロット２を設け、蓋の先端部分には切断用の刃４を設ける。スロット２と刃４の間の部分を巻紙６の中心方向に反らせて凸部３を形成する。以上により、紙５を切断しようとする際には刃部４に掛けられた力が凸部３に伝わり巻紙６を押さえ、それ以上紙５が出て来ることを妨げる。紙５には張力が生じ、刃４に当てられた紙５は容易に片手で切断する事ができる。また切断後の紙５はスロット２と刃４の間の長さ分がスロット２より垂れ下がった状態になり、次回の使用時に簡単に掴むことができる。【選択図】図１
2017023654.tif 000002
【特許請求の範囲】
【請求項１】
トイレットペーパー保持器の蓋（１）に紙（５）を取出す為のスロット（２）を設けたトイレットペーパー保持器。
【請求項２】
紙（５）を切断するために、刃（４）に加えられた力が凸部（３）に圧力を加え、巻紙の回転を止め、紙に張力を与え、切断を容易にする機構を持ったトイレットペーパー保持器。
【発明の詳細な説明】
【技術分野】
【０００１】この発明はトイレットペーパー保持器の蓋に紙取出し用のスロットを設け、紙切断時に外側から巻紙を押さえる力が働く構造とし、片手で簡単に紙を切ることを可能にするものである。
【発明の概要】
【発明が解決しようとする課題】
【０００２】従来のトイレットペーパー保持器は紙が蓋の裏に残っていて摘みにくく、また、切り取る際に不必要に紙が出て来ないように蓋を他方の手で押さえておく必要があり、片手での操作には無理があった。
本発明は、この課題を解決するために成されたものである。
【課題を解決するための手段】
【０００３】保持器の蓋に紙幅のスロット２を切り、そこから紙を外に引き出せるようにする。
紙を蓋の外側から刃４に当てて切断する際、蓋が巻紙６を押さえる方向に作用するよう、スロットと蓋の先端までの間に巻紙の中心方向に凸部３を設ける。
紙の切断を容易にするため蓋の先端に鋸状の刃４を設ける。
【発明の効果】
【０００４】スロットから引き出された紙を蓋先端の刃の部分に押し付けると蓋の凸部が巻紙を押さえつけて回転を止め、それ以上の紙の出を防ぎ、紙に張力を与える。
この張力によって紙の切断が容易になる。
切断後の紙はスロットから刃までの長さの分がスロットの下にぶらさがっていて次回の使用に際してはそれを簡単に掴むことができる事となる。
これら一連の作業は、紙を引き出した後、他方の手で蓋を押さえるなどの行為を必要とせず、片手のみによってなされる事が可能であり、肢体不自由な方や介護の現場などにも多大な利便を与え得る。
現在一般的に使用されている保持器にスロットを切り、先端部分を反対方向に反らせるという加工だけでも実用とすることが可能であり、製作費用を抑えることができる。
【図面の簡単な説明】
【０００５】
【図１】  本発明の斜視図である。
【図２】  本発明の側面図である。
【発明を実施するための形態】
【０００６】以下、本発明の実施の形態を図１及び図２に基づいて説明する。
【０００７】トレットペーパー保持器の蓋１にトイレットペーパーの幅よりやや広めのスロット２を設ける。
【０００８】蓋１のスロット２より先端の部分を巻紙６の中心方向に反せて巻紙６を押さえる凸部３を形成する。
【０００９】蓋１の先端に紙５を切りやすくするために鋸状の刃４を設ける。
【符号の説明】
【００１０】１  蓋
２  スロット
３  凸部
４  刃
５  紙
６  巻紙
【図１】
2017023654.tif 000003
【図２】
2017023654.tif 000004
(57)【要約】【課題】この発明は、チリトリに掃き入れた土や砂を落とす底網チリトリを提供する。【解決手段】チリトリ本体（１）の底部を網（２）にすることを特徴とする。【選択図】図１
2017023660.tif 000002
【特許請求の範囲】
【請求項１】
チリトリ本体（１）の底部を網（２）にすることを特徴とする底網チリトリ。
【発明の詳細な説明】
【技術分野】
【０００１】この発明は、落ちた葉や木の実、花びら等をチリトリで取ろうとすると、一緒に土がチリトリに入ってしまうのを、土を落とし葉や木の実、花びらのみを回収できるようにした、底網チリトリに関するものである。
【背景技術】
【０００２】  従来のチリトリは、落ちた葉や木の実、花びら等を掃き入れると一緒に土も入ってしまうのが一般的だった。
【先行技術文献】
【特許文献】
【０００３】
【特許文献１】
【発明の概要】
【発明が解決しようとする課題】
【０００４】これは次のような欠点があった。
（イ）土が一緒に入ってしまうので、庭の土が減ってしまう。
（ロ）ゴミ袋に入れると土や砂の量と重みがかさばってしまう。
本発明は、これらの欠点を除くためになされたものである。
【課題を解決するための手段】
【０００５】チリトリ本体の底部を網にする。
本発明は、以上のような構成よりなる底網チリトリである。
【発明の効果】
【０００６】（イ）チリトリの底部が網なので、不要な土や砂が落ち、落ちた葉や木の実、花びら等のみ回収され軽い。
（ロ）草を抜いた後、根に付いてきた土も、チリトリを左右に振ることにより落とせる。
（ハ）砂場の落ち葉やごみ取りにも最適である。
【図面の簡単な説明】
【０００７】
【図１】本発明の斜視図である。
【発明を実施するための形態】
【０００８】従来のチリトリの底部を網にする構造である。
本発明は掃き入れた土や砂を落とすと共に、ふるいの機能も併せ持ち、左右に振ることにより、草取りの根に付いた土を落とすのにも便利である。
【符号の説明】
【０００９】１チリトリ本体
２網
【図１】
2017023660.tif 000003
(57)【要約】【課題】歯のホワイニング及びクリーニングでは、ホワイトニング効果を比較する際にシェードガイド等の色見本器具を使い、目視にて歯が白くなった変化（白化）を認識するのが通例となっている。しかしながら色見本のパターン色は１６色前後と少ないため、実際の歯の色に近い色見本が存在しづらい為、ユーザーはホワイトニング効果による歯の白化が不明瞭になる場合がある。その場合は、顧客満足の低下につながる可能性があり、この発明は上記の問題点を解決することを目的としている。【解決手段】カメラなどの撮影機器によりホワイトニング前後それぞれの歯をデジタル撮影する。ホワイトニング前後の歯の画像データの白さを比較するシステムにより、白化した度合いを数値解析する。ユーザーはその解析結果を具体的な数値にて認識できることでホワイトニング効果を実感できることを実現させた。【選択図】図１
2017023653.tif 000002
【特許請求の範囲】
【請求項１】
選択した歯の画像データの色をＲＧＢカラーにより数値化し、数値によって色を比較することが撮影したその場ですぐにできるシステム装置であり、歯のホワイトニングによる白さの変化（白化）を数値にて表示することで、ユーザーの効果に対する満足度を向上させることを特徴とする歯のホワイトニング白化測定システム装置。
【請求項２】
上記、装置は、ＲＧＢカラーが白に近づくと数値が上昇することを活用し、色の変化を比較する演算システムを有していることを特徴とする前記請求項１に記載の歯のホワイトニング白化測定システム装置。
【請求項３】
上記、装置は、ユーザーの個人コードをスキャニングする機器及び撮影したデータを保存する機器を有することを特徴とする前記請求項１乃至請求項２に記載の歯のホワイトニング白化測定システム装置。
【請求項４】
上記、装置は、撮影ブース・撮影機器を有することを特徴とする前記請求項１乃至請求項３に記載の歯のホワイトニング白化測定システム装置。
【発明の詳細な説明】
【技術分野】
【０００１】  この発明は歯の表面の汚れを除去して白化するホワイトニング及びクリーニングを行った際に白さの変化を測定するための撮影から画像保持、撮影結果データから白さを比較するシステム一式を有する測定システム装置及びその方法に関する。
【背景技術】
【０００２】  ユーザーは、歯のホワイトニング及びクリーニンクを行なう際にシェードガイド（歯の模型を１６色前後に着色したもの）を用い、ホワイトニングの前後の歯の色を比較している。【０００３】ホワイトニング前後の比較は、それぞれ目視にて行っている。
【発明の概要】
【発明が解決しようとする課題】  然しながら、実際の歯の色と完全一致する色を探すには、シェードガイドの１６色前後だけでは、少ないケースが多く、且つ目視による比較では個人の色彩感覚により白化の比較結果に個人差が発生するため、ホワイニング前後の比較が不明瞭になる場合があり、顧客満足の低下につながる可能性が生じている。【０００４】  本発明は、上記に鑑みてなされたものであって、シェードガイド等による目視による間接比較ではなく、ユーザー自身の歯の色を直接比較し、変化の度合いを数値にて明示することを目的としている。
【課題を解決するための手段】
【０００５】前記課題を解決するため、歯のホワイトニング白化測定システム装置は、選択した歯の画像データの色をＲＧＢカラーにより数値化し、数値によって色を比較することが撮影したその場ですぐにできるシステム装置であり、歯のホワイトニングによる白さの変化（白化）を数値にて表示することで、ユーザーの効果に対する満足度を向上させることを特徴とする。【０００６】  また、上記、装置は、ＲＧＢカラーが白に近づくと数値が上昇することを活用し、色の変化を比較する演算システムを有していることを特徴とする。【０００７】  また、上記、装置は、ユーザーの個人コードをスキャニングする機器及び撮影したデータを保存する機器を有することを特徴とする。【０００８】  また、上記、装置は、撮影ブース・撮影機器を有することを特徴とする。
【発明の効果】
【０００９】  撮影ブース・撮影機器、ユーザーの個人コードをスキャニングする機器・撮影したデータを保存する機器、色の変化を比較する演算システムを一体化したので、第１に撮影したその場ですぐに歯のホワイトニングによる歯の白さの変化（白化）を数値にて表示することで、ユーザーの満足度を向上することができる。【００１０】  第２に、色の変化を比較する演算システムは、ＲＧＢカラーが白に近づくと数値が上昇することを活用し、ユーザーがホワイトニングの前と後で撮影された同じ歯の画像を指定した際に、指定したエリア内の色の平均数値を前と後で演算する。この演算結果により、白化の度合いを数値にてユーザーへ表示することができる【００１１】  第３に、バーコードリーダー及びパソコン機器は、複数人のユーザーが測定システム装置を使用する際に各ユーザーを特定できるように連携しており、事前に発番した個人コードをスキャンし、且つ撮影したデータをパソコン機器へ保存する際に日時情報を保持させることで、各ユーザーの特定且つホワイトニングの前後の画像を特定をすることを可能にした。【００１２】  第４に、白化測定システムにおいて、歯を撮影し画像データをＲＧＢカラー数値にて白化を比較するため、撮影条件を均一にする必要があり、撮影機材・撮影ブース本、及びブース内設備（照明ライト・顎のせ台）により、撮影時の照度及び撮影焦点距離を一定することを可能にした。
【図面の簡単な説明】
【図１】この発明の歯のホワイトニング白化測定システム装置
【図２】白化演算システム画面
【発明を実施するための形態】
【００１３】  以下、図１〜図２を参照し、この実施態様を通じて本発明を詳説する。
【００１４】図１にて、ユーザーＡは個人に発番された個人コードをバーコードリーダーにかざした後、撮影ブース１へ入り、顎のせ台４に自らの顔を固定した上で照明ライト３にて照度を確保し撮影器２にてホワイトニング前の歯を撮影する。その後、ホワイトニングを実施する。
【００１５】図１にて、ユーザーＡは、ホワイトニング終了後、再度、個人コードをバーコードリーダーにかざした後、撮影ブース１へ入り、顎のせ台４に自らの顔を固定した上で照明ライト３にて照度を確保し撮影器２にてホワイトニング後の歯を撮影する。
【００１６】図２にて、ユーザーＡは、撮影画像表示画面（前）７内よりホワイトニング結果を比較したい歯を検討し、色比較エリア（前）９を選択する。
【００１７】図２にて、ユーザーＡは、撮影画像表示画面（後）８内より上記に選択した同じ歯の色比較エリア（後）１０を選択する。
【００１８】色比較エリア（後〉１０を選択後、結果数値表示エリアに白化した度合いの数値を表示する。
【符号の説明】
【００１９】１・・・撮影ブース
２・・・撮影器
３・・・照明ライト
４・・・顎のせ台
５・・・パソコン機器
６・・・バーコードリーダー
７・・・撮影画像表示画面（前）
８・・・撮影画像表示画面（後）
９・・・色比較エリア（前）
１０・・・色比較エリア（後）
１１・・・結果数値表示エリア
Ａ・・・ユーザー
【図１】
2017023653.tif 000003
【図２】
2017023653.tif 000004